(57)【要約】【課題】  ＰＪＭにおいて、ＪＤＦジョブからコンテンツをエクスポートする際に、ユーザがエクスポートしたコンテンツを使用可能にする。【解決手段】  １．コンテンツが頁正順でない場合には、エクスポートできないようにする。  ２．コンテンツが頁逆順の場合には、頁正順に並べ替えてエクスポートする。（ＰＰＭ  中綴じ製本ジョブの場合）  ３．コンテンツが複数で構成される場合には、頁正順の１ファイルを作成してエクスポートする。（ＰＰＭ  くるみ製本ジョブの場合）【選択図】  図１
2010049345.tif 000002
【特許請求の範囲】
【請求項１】
印刷ジョブを生成する印刷ジョブ生成手段と、
上記印刷ジョブを保存し、デバイスへ送信し、ステータスを管理する印刷ジョブ処理手段と、
上記印刷ジョブ処理手段において、印刷ジョブからコンテンツデータをファイルとして抽出するコンテンツエクスポート手段と、
上記コンテンツエクスポート手段によってコンテンツをエクスポートするかどうかを判断するエクスポート実行判断手段とを有する事を特徴とする印刷システム。
【請求項２】
コンテンツデータのページ順序を正順に戻してエクスポートする第二のコンテンツエクスポート手段と、
上記印刷ジョブに記録されているコンテンツが、ページ逆順で記録されている場合には、上記第二のコンテンツエクスポート手段を使用してコンテンツのエクスポートを実行する事を特徴とする請求項１に記載の印刷システム。
【請求項３】
前記印刷ジョブに記録されている印刷指示データを解析する印刷指示解析手段と、
前記印刷指示解析手段で解析された印刷指示に従って、第二のコンテンツデータを作成するコンテンツデータ作成手段と、
前記印刷ジョブに記録されているコンテンツデータの数を計測するコンテンツデータ数計測手段と、
前記コンテンツデータ数計測手段で計測されたコンテンツデータ数が複数であった場合には、前記コンテンツデータ作成手段を使用してコンテンツの生成とエクスポートを実行する事を特徴とする請求項１に記載の印刷システム。
【発明の詳細な説明】
【技術分野】
【０００１】
本発明は、例えば、印刷ジョブ生成装置、印刷ジョブ管理装置、印刷ジョブ印刷装置からなる印刷システムにおける印刷ジョブの制御ならびに制御を実行するプログラムに関するものである。
【背景技術】
【０００２】
従来、第三者（顧客、クライアント）から印刷物（雑誌、新聞、カタログ、広告、グラビア等）の作成依頼を受注し、該クライアントの所望の印刷物を作成し、それを該クライアントに納品することでクライアントから報酬を得る、所謂、商業的印刷業界では、現在でも、オフセット製版印刷機などの大規模な印刷装置等を用いているのが主流である。該印刷業界では、入稿、デザインやレイアウト、カンプ（プリンタ出力によるプレゼンテーション）、校正（レイアウト修正や色修正）、校正刷り（プルーフプリント）、版下作成、印刷、後処理加工、発送といった具合に様々な工程を踏んで作業を進めてきた。また近年では、ダイレクトメール等のOne to One Marketingの普及と共に、多品種・小ロットの代表的なジョブであるバリアブル印刷の需要は、ますます増大している。
【０００３】
一方で、最近、電子写真方式の印刷装置やインクジェット方式の印刷装置の高速化、高画質化に伴い、上記のような印刷業界に対抗して、プリント・オン・ディマンド（Ｐｒｉｎｔ On  Ｄｅｍａｎｄ：以下、ＰＯＤと表記する。）と呼ばれる市場が出現してきている。PODでは、版下を作成しないで印刷処理を行うことが出来るため、オフセット印刷に比べてバリアブル印刷にむいているという特徴がある。またPODでは、印刷装置で扱うジョブより比較的小ロットのジョブを、大掛かりな装置、システムを用いずに、短納期で取り扱えることを目指している。そして、上記のような大規模な印刷機、印刷手法に変わって、例えば、ディジタル複写機やディジタル複合機等のディジタル画像形成装置を最大限に活用して、電子データを用いたディジタル・プリントを実現して、それで商売を行うとする市場も出現しつつある。このようなＰＯＤ市場では、従来の印刷業界に比べてディジタル化が融合し、コンピュータを利用した管理、制御が浸透してきている。
【０００４】
以降、図１から図４を用いて従来のPODシステムの構成の一例を説明する。
【０００５】
図１は、PODシステムの一例であり、且つ本発明における印刷システム全体の基本構成の一例も示すブロック図である。
【０００６】
本ブロック図は、一つまたは複数のエンドユーザ環境である１、２と、インターネットを介して接続されているＰＯＤ（Ｐｒｉｎｔ  Ｏｎ  Ｄｅｍａｎｄ）サイト環境３から成っている。
【０００７】
エンドユーザ環境１と２は、プリントの発注依頼を行う発注者が存在し、それぞれのエンドユーザ環境（ここでは、エンドユーザ環境Ａ及び、エンドユーザ環境Ｂ）からそれぞれのクライアントＰＣを利用して、プリントジョブの依頼を始めとして、ジョブのステータス確認などができる。
【０００８】
一方、ＰＯＤサイト環境３においては、通常は工程管理部４、ディジタルプリント部５から成り立っている。が、ディジタル複写機やディジタル複合機等のディジタル画像形成装置に接続されているフィニッシング装置の機能や能力で不足する場合には、ポストプレス部６を加えた３つから成り立っている。
【０００９】
工程管理部４は、ＰＯＤサイト環境における工程管理部４、ディジタルプリント部５、ポストプレス部６の各工程に対して作業を指示し、コンピュータや各種デバイスにより構成される本システムのワークフローを一元管理する部分であり、前述のエンドユーザからジョブを受信したり、エンドユーザからのジョブを保管したり、エンドユーザからのジョブの指定に基づいて各工程における作業をワークフローとして組み立てたり、各デバイスや各作業者における作業を効率よくスケジュールしたりといった役割を果たすものである。
【００１０】
ディジタルプリント部５は、工程管理部より受信した印刷ジョブの作業指示に従って、白黒ＭＦＰやカラーＭＦＰ等によりエンドユーザから受け取った紙原稿をコピーしたり、クライアントＰＣからプリンタドライバやホットフォルダを経由して、エンドユーザから受信した文書／画像ファイルやスキャンデバイスによりスキャンしたスキャン画像ファイルやそれらを編集した文書／画像ファイルを白黒ＭＦＰやカラーＭＦＰ等のプリントデバイスにプリントアウトしたりといった役割を果たすものである。
【００１１】
ポストプレス部は、工程管理部あるいはディジタルプリント部より受信したポストプレスジョブの作業指示に従って、紙折り機、中綴じ製本機、くるみ製本機、断裁機、封入機、帳合機等の後処理デバイスを制御するとともに、ディジタルプリント部より出力された記録紙に対して、紙折り、中綴じ製本、くるみ製本、断裁、封入、帳合等の仕上げ処理を実行するという役割を果たすものである。
【００１２】
図２は、上記印刷システムにおける工程管理部４の構成の一例を示すブロック図である。
【００１３】
工程管理部４は、ネットワークに接続されたＭＩＳ（Ｍａｎａｇｅｍｅｎｔ  Ｉｎｆｏｒｍａｔｉｏｎ  Ｓｙｓｔｅｍ）サーバ２０、受注サーバ２１、ファイルサーバ２２、クライアントＰＣ２３などから成り立っている。
【００１４】
ここで、ＭＩＳサーバ２０は、受注から納品までのシステム全体のワークフローを管理すると共に、様々な経営情報や販売情報を統括的に管理するシステムにおけるサーバである。
【００１５】
受注サーバ２１は、インターネットを利用して、エンドユーザ環境からジョブを受信するサーバである。受信したジョブは、ジョブのＩＤ番号で管理され、ＩＤ番号と管理上必要となる情報はＭＩＳサーバ２０に伝えられ、ＭＩＳサーバ２０の指示に従って、画像データなどのそれ以外の情報と一緒に下流の工程に伝える役割を持っている。
【００１６】
ファイルサーバ２２は、エンドユーザからの同一原稿による再発注に備えて、エンドユーザから受信したジョブを保管するため文書管理サーバである。一般に、画像データと前回出力の際のジョブの設定情報（ジョブチケット）を一緒に保存してある。
【００１７】
クライアントPC２３は、エンドユーザから受信したジョブを、PODシステム３内で処理可能な形式で出力するジョブ生成アプリがインストールされている。例えば、エンドユーザから基本コンテンツデータとデータリストとバリアブル印刷指示書から構成されるバリアブル印刷ジョブを受信した場合には、クライアントPC２３上でPPML(Personalized Print Markup Language)に変換され、デジタルプリント部へsubmitされる。工程管理部におけるこれらのＭＩＳサーバ２０、受注サーバ２１、ファイルサーバ２２、クライアントＰＣ２３間でやり取りされる情報は、ＪＤＦ（Ｊｏｂ  Ｄｅｆｉｎｉｔｉｏｎ  Ｆｏｒｍａｔ）と呼ばれるジョブの作業指示を記載したジョブチケットなどを利用して情報交換しており、ジョブを転送したり、制御コマンドを発行したりして、工程管理部４を中心にディジタルプリント部５、ポストプレス部６などと連携をとってトータルなワークフローの自動化を提供している。
【００１８】
図３は、上記印刷システムにおけるディジタルプリント部５の構成の一例を示すブロック図である。
【００１９】
ここには、ネットワークに接続されたプリントサーバ３０、クライアントＰＣ３１と３２、カラーＭＦＰ３５、３６、３７及び白黒ＭＦＰ３３、３４がそれぞれ１つまたは複数個存在している。
【００２０】
プリントサーバ３０は、２つの役割を持っている。１つ目はディジタルプリント部の外部と情報の送受であり、入稿されるジョブの画像情報や設定情報などは、まずプリントサーバに入力され、そのジョブが終了するとステータスなどの情報を外部に知らせる役割を持っている。もう１つはディジタルプリント部内部の管理制御であり、外部から入力されたジョブ及び、ディジタルプリント部５の内部で発生したジョブは、プリントサーバ３０にて一元管理されており、ディジタルプリント部の内部にある全てのデバイスと全てのジョブの状況が監視できると共に、ジョブの一時停止、設定変更、印刷再開あるいは、ジョブの複製、移動、削除などの制御が行えるようになっている。
【００２１】
クライアントＰＣ３１、３２は、入力されたアプリケーションファイルの編集、印刷指示、あるいは、プリントレディファイルの投入の役割と、プリントサーバ３０内で管理されているデバイスやジョブの監視や制御の補佐する役割を持っている。
【００２２】
カラーＭＦＰ３５、３６、３７及び白黒ＭＦＰ３３、３４は、スキャン、プリント、コピーなど様々な機能を有する画像形成装置であり、カラーＭＦＰと白黒ＭＦＰとでスピードやコストなどが異なるため、それぞれの用途に応じて使い分ける。また、カラーＭＦＰ３７にはフィニッシャ装置が接続されている。
【００２３】
図４は、上記印刷システムにおけるポストプレス部６の構成の一例を示すブロック図である。
【００２４】
ポストプレス部６は、ポストプレスサーバ４０、クライアントＰＣ４１、４２、及び、紙折り機４３、断裁機４４、中綴じ製本機４５、くるみ製本機４６に代表される後処理機器で構成されている。
【００２５】
まず、ポストプレスサーバ４０は、後処理工程を統括管理するコンピュータであり、受注サーバにて受け付けたジョブの指示やＭＩＳサーバから出されるジョブの指示などに基づいて、ポストプレス部で仕上げ可能な後処理条件を作り出し、エンドユーザの要求通りの後処理（仕上げ処理）工程の指示を行う。一般に、ポストプレスサーバ４０がポストプレス部６の外とＪＤＦなどの情報交換手段を使って、ポストプレス部の内部コマンドやステータスでそれぞれの後処理機器と情報交換している。
【００２６】
後処理機器は、大きく３つの種類に分類することができ、以下のように定義する。
【００２７】
１）インラインフィニッシャ：紙パスがＭＦＰと物理的に接続されており、かつ、操作指示や状況確認もＭＦＰと電気的に接続されている後処理装置。以降では、フィニッシャ装置とのみ述べた場合には、インラインフィニッシャ装置を指すものとする。
【００２８】
２）ニアラインフィニッシャ：紙パスはＭＦＰと接続されておらず、作業者（オペレータ）が出力物の運搬、出力物の設定を行うが、操作指示や状況確認はネットワークなどの通信手段を介して電気的に情報送受可能な後処理装置。
【００２９】
３）オフラインフィニッシャ：紙パスも操作指示や状況確認などの通信手段もＭＦＰと全く接続されておらず、作業者が出力物の運搬、出力物の設定、手作業での操作入力、機器自体が発する状況報告を作業者が目視で確認する後処理装置。
【００３０】
更に、後処理機器には、断裁処理工程、中綴じ製本処理工程、くるみ製本処理工程、紙折処理工程、穴あけ処理工程、封入処理工程、帳合処理工程等の出力原稿に対する様々なシート加工処理を、ＭＦＰ等の画像形成装置にて印刷された出力原稿紙に対して施す後処理工程を持っており、エンドユーザに提供する製本形態に加工するように制御する。
【００３１】
ポストプレスサーバ４０が管理するニアラインフィニッシャ（時には、オフラインフィニッシャも含めて）には、図に示した紙折機４３、断裁機４４、中綴じ製本機４５、くるみ製本機４６の他に、ステープラ、穴あけ機、封入機あるいは、帳合機（コレータ）を初めとして様々なものがあり、ポストプレスサーバ４０はこれらのニアラインフィニッシャと予め決められたプロトコルで逐次ポーリングなどでデバイスの状況やジョブの状況を把握し、ジョブの実行状況を管理する。尚、本形態は、上述の複数のシート処理をそれぞれ別々のシート処理装置により実行可能にする構成でも、複数種類のシート処理を１台のシート処理装置が実行可能にする構成でも良い。又、複数のシート処理装置のうち、いずれかのシート処理装置を本システムに具備する構成でも良い。
【００３２】
また、PODシステムにおいて全ての印刷ジョブがポストプレス部６で処理されるわけではない。フィニッシャ装置を持つカラーMFP３７で後処理工程までも処理されても構わない。
【００３３】
また、従来商業印刷の分野ではジョブチケットを使用した商業印刷ワークフローが提案されている。以降、図５、図６、図７を用いて従来の商業印刷の分野でのPODシステムにおける“ジョブチケットによるワークフロー”とジョブチケットに関して一例を示して説明する。図5の例ではJDF生成アプリケーションがMISサーバ２０内にあるものとしたが、クライアントPC２３内にあっても構わない。
【００３４】
図５は、ジョブチケットにより実現されるワークフロー構成の一例を示す図である。ジョブチケットワークフロー構成の図を示している。例では、ジョブチケットとしてJDFを使用している。
【００３５】
ＭＩＳサーバ２０は、受注から納品までのシステム全体のワークフローを管理すると共に、様々な経営情報や販売情報を統括的に管理するシステムであり、ワークフローにおける作業指示が記述されたジョブチケットに相当するＪＤＦデータ５２を作成するためのＪＤＦ作成アプリケーション５１により構成されている。
【００３６】
プリントサーバ３０は、ディジタルプリント部５に投入されるジョブを受信すると共に、ディジタルプリント部全体を管理制御するためのサーバであり、ＪＤＦデータ５２を解釈するためのＪＤＦパーサ５３、ＰＤＦ／ＰＳ等の各種ＰＤＬデータを処理するためのＰＤＬコントローラ５４、ＭＦＰ５６等のプリンタエンジンにフィニッシャ装置５８と接続するためのプリンタ・フィニッシャインターフェース５５により構成される。
【００３７】
ジョブチケットによるワークフローは、以下のように実現される。
【００３８】
ＭＩＳサーバ２０に受注ジョブ５０が投入されると、作業者は、ＭＩＳサーバ２０にインストールされているＪＤＦ（Ｊｏｂ  Ｄｅｆｉｎｉｔｉｏｎ  Ｆｏｒｍａｔ）作成アプリケーション５１により、ワークフローにおける作業指示が記述されたジョブチケットに相当するＪＤＦデータ５２を作成する。
【００３９】
作成されたＪＤＦデータ５２がプリントサーバ３０に渡されると、プリントサーバ３０におけるＪＤＦパーサ５３がＪＤＦデータ５２を解釈して、ディジタルプリント部に対するジョブを実行する。例えばＪＤＦデータには、出力用紙サイズや両面片面印刷やＮ−ｕｐ等の属性が指定されており、ＪＤＦデータの内容に従って、ＰＤＬコントローラ５４によりＪＤＦデータ５２により参照されるＰＤＦ／ＰＳ等のＰＤＬデータを処理するとともに、プリンタ・フィニッシャインターフェース５５を介してＭＦＰ５６に対して印刷を実行する。
【００４０】
印刷実行によって出力原稿５７がフィニッシャA５８に搬送される。
【００４１】
そこで、ＪＤＦデータに、くるみ製本や中綴じ製本や断裁等の属性が指定されているならば、ＪＤＦデータの内容に従って、プリンタ・フィニッシャインターフェース５５を介してフィニッシャ−Ａ５８に対して後処理を実行する。
【００４２】
図６は、PODシステムにおけるジョブチケットの構造の一例を示す図である。
【００４３】
５２はJDFデータ全体を示し、６１はPDF等のコンテンツデータをどのように画像処理し、どのように配置するか等を示す複数のPrepress処理の指示群が記述されている。６２はPrepress処理６１において作成された画像データをどのように原稿に出力するか等を示す複数のPress処理の指示群が記述されている。６３はPress処理６２の指示に従って出力された原稿を包み製本等、どのように後処理するかを示す複数のPostpress処理の指示群が記述されている。６０は上記Prepress処理６１とPress処理６２とPostpress処理６３を一つの処理に纏めるCombined  Process処理を示す。通常、デジタルプリントを司るカラーＭＦＰ３７等では一回の印刷ジョブの入力に対して、Prepress処理にPress処理にPostpress処理まで実行終了した製本結果が唯一つの出力となる。このように一度のデータInputに対してPrepress処理+Press処理+Postpress処理までを同時に処理し、唯一つのOutputを出力する指示を行いたい場合にCombined Processは使用される。Prepress・Press・Postpress処理の少なくとも2つ以上を所持するMFP等のデジタル画像形成装置に対する指示には、常に使用される。
【００４４】
図７は、PODシステムにおけるジョブチケットの構造の一例を示すもう一つの図である。ジョブチケットを表現するJDF（Ｊｏｂ Ｄｅｆｉｎｉｔｉｏｎ Ｆｏｒｍａｔ）はXMLフォーマットで記述されており、ノードの階層構造によって表現できる。図７はJDFによって製本の一例を示す階層図である。一方、図6はJDF構造を実行プロセスの種類で示している。
【００４５】
「本」71を作成するには、表紙７２を作ったり、中身７３を作ったり、あるいは、それらを製本したりと様々な工程を経てエンドユーザに届けられる「本」が出来上がっている。
【００４６】
ＪＤＦでは、出力物を構成する際に、物理的な出力物を形作る工程をプロダクトノード、プロダクトノードを形作るための処理工程をプロセスノード、プロダクトノードを作成するための中間的段階の要素でいくつかのプロセスノードの集合体をプロセスグループノードと呼んで区別している。
【００４７】
また、図６のPrepress処理６１は、カラーページのRIP処理である7a、白黒ページのRIP処理である7cにあたる。Press処理６２は、表紙出力のプロセス1である７８、表紙のラミネート処理である７９、カラーページプリント処理である７ｂ、白黒ページプリント処理である7ｄに当たる。Postpress処理は、包み製本処理である7e、断裁処理である7fに当たる。
【００４８】
図２１は、印刷ジョブ管理アプリの画面を説明する図である。
【００４９】
この図では、印刷ジョブからコンテンツデータをエクスポーする操作を説明している。
【００５０】
２１０は、MFP５６の印刷ジョブのリストを表示するダイアログである。図２１の例では、ジョブ名が“プレゼン資料”"カタログ""マニュアル"である３つのジョブが表示されおり、"プレゼン資料"ジョブは印刷終了し、"カタログ"ジョブは印刷処理中であり、"マニュアル"ジョブは、印刷処理待ちであることを示している。２１２は、上記ジョブのリストを表示する領域であり、２１１は、現在"プレゼン資料"ジョブが、選択状態である事を示している。ジョブの選択は、マウスに連動して動作するマウスカーソルをジョブ名称の上に移動し、マウス左ボタンをクリックする事により、実行される。また選択状態であるかどうかは、ジョブ名称を表示している背景が、黒く反転表示されているかどうかによって判断できる。２１３は、マウス右ボタンをクリックする事により表示されるポップアップメニューであり、ポップアップメニューには“コンテンツのエクスポート...”メニューが表示されている。マウスポインタで上記メニューを選択する事により、選択中のジョブ"プレゼン資料"のコンテンツエクスポート処理が実行される。
【００５１】
また、従来画像形成処理装置により出力された原稿用紙を、フィニッシング装置で製本処理(ステイプル、穴あけ、中綴じ製本、包み製本等)を行うことは周知である。
【００５２】
また、従来コンテンツの頁順序が正順か逆順かによって、処理方法を変更するものとしては、印刷指示がフェースアップ印刷かフェースダウン印刷かによって、コンテンツの順番を逆順に入れ替えて印刷装置に送信するもののみであった。（例えば、特許文献１参照。）
【特許文献１】特開平09-212320号公報
【発明の開示】
【発明が解決しようとする課題】
【００５３】
しかしながら、上述した従来の技術には、印刷ジョブからコンテンツをエクスポートする処理に関しては何も述べられていなかった。
【００５４】
また、印刷ジョブに記録されているコンテンツのエクスポート処理の実施と非実施を制御する事ができなかった。
【００５５】
また、１つの印刷ジョブが複数のコンテンツデータで構成される場合、これらのコンテンツデータを頁正順の1ファイルでエクスポートする事ができなかった。
【００５６】
本発明は上記問題点に鑑みて為されたものであり、印刷ジョブに記録されているコンテンツデータが頁正順で無い場合には、コンテンツのエクスポート処理を実行させないエクスポート処理方法とそれを実行するためのプログラムを提供する事を目的とする。
【００５７】
また、印刷ジョブに記録されているコンテンツが頁正順でないならば、頁正順に並び替えてエクスポートする第二のエクスポート処理方法とそれを実行するプルグラムを提供する事を目的とする。
【００５８】
また、印刷ジョブに記録されているコンテンツが複数データで構成される場合には、それらのコンテンツデータから頁正順の1つのデータを生成してエクスポートする第三のエクスポート処理方法とそれを実行するプルグラムを提供する事を目的とする。
【課題を解決するための手段】
【００５９】
上述した課題を解決するために、請求項１に記載の印刷システムは、少なくとも、印刷ジョブを生成する印刷ジョブ生成手段と、
上記印刷ジョブを保存し、デバイスへ送信し、ステータスを管理する印刷ジョブ処理手段と、
上記印刷ジョブ処理手段において、印刷ジョブからコンテンツデータをファイルとして抽出するコンテンツエクスポート手段と、
上記コンテンツエクスポート手段によってコンテンツをエクスポートするかどうかを判断するエクスポート実行判断手段とを有する事を特徴とする。
【００６０】
また請求項２に記載の印刷システムは、コンテンツデータのページ順序を正順に戻してエクスポートする第二のコンテンツエクスポート手段と、上記印刷ジョブに記録されているコンテンツが、ページ逆順で記録されている場合には、上記第二のコンテンツエクスポート手段を使用してコンテンツのエクスポートを実行する事を特徴とする。
【００６１】
また請求項３に記載の印刷システムは、上記印刷ジョブに記録されている印刷指示データを解析する印刷指示解析手段と、上記印刷指示解析手段で解析された印刷指示に従って、第二のコンテンツデータを作成するコンテンツデータ作成手段と、上記印刷ジョブに記録されているコンテンツデータの数を計測するコンテンツデータ数計測手段と、上記コンテンツデータ数計測手段で計測されたコンテンツデータ数が複数であった場合には、上記コンテンツデータ作成手段を使用してコンテンツの生成とエクスポートを実行することを特徴とする。
【発明の効果】
【００６２】
本発明によって、ユーザがページ正順で作成されていないコンテンツを印刷や編集にそのまま使用して、ページ順序がばらばらな印刷物や編集結果のファイルを作成してしまうことを容易に防ぐことができる。
【００６３】
また、ページ正順で作成されていないコンテンツを、ページ正順に並べ替えることにより、ユーザはそのまま印刷や編集に流用可能なファイルを取得することができる。
【００６４】
また更に、複数のデータで構成されるコンテンツを、ページ正順で1ファイルにしてエクスポートすることにより、ユーザはそのまま印刷や編集に流用可能なファイルを容易に取得することができる。
【発明を実施するための最良の形態】
【００６５】
次に、本発明の詳細を実施例の記述に従って説明する。
【実施例１】
【００６６】
以下、添付図面に従って本発明に係わる実施例を詳細に説明する。
【００６７】
図１、図２、図３、図４は従来技術の例でも用いたが、本発明においても印刷システム全体の基本構成の一例を示すブロック図である。但し、以降では本発明を把握しやすくするために、最小構成で説明を行う。よって、図８のように構成するものとする。
【００６８】
図８は、本発明において印刷システム全体の基本構成の一例を示すもう一つのブロック図である。図１の印刷システム全体の基本構成ブロック図から本発明を説明するのに必要な構成だけを残した図であり、以降はこの図を使って実施例を説明する。
【００６９】
本実施例では、印刷システム内の工程管理部としては、エンドユーザ環境A１と受注サーバ２１とMISサーバ２０とクライアントPC２３とファイルシステムサーバ２２で構成されるとする。またデジタルプリント部としてはプリントサーバ３０とカラーMFP３７で構成される。カラーMFP３７の内部構成は印刷ジョブの受信からジョブ内に記録されている情報に従って印刷原稿の出力までを処理するカラーMFP本体部と、MFP本体部から印刷原稿の搬送路として接続されているインラインフィニッシャとから成る。そして8０はLAN等のネットワークであり、MISサーバ２０やカラーMFP３７やポストプレスサーバ４０などの上記の各機器はネットワーク９０で接続されている。
【００７０】
本実施例では、ＭＩＳサーバ２０は、受注から納品までのシステム全体のワークフローを管理する。ワークフローの管理の具体的な処理内容としては、受注サーバ２１に受信されたジョブは、オペレータによってクライアントPC２３上で印刷ジョブであるJDF印刷ジョブデータに変換される。そしてクライアントPC２３のジョブ生成アプリからMISサーバ２０へジョブが送信され、記録される。そして、MISサーバ２０は印刷システム全体の印刷ジョブの処理スケジュールを管理する機能を所持し、上記バリアブルジョブを、印刷システム内で処理すべき印刷ジョブとして処理スケジュール情報とともに管理する。そして、デジタルプリント部５に印刷ジョブの開始を指示し、デジタルプリント部５から現在の処理ステータス情報を受け取る。また、デジタルプリント部５から印刷ジョブの終了通知も受け取る。また、上記各種受け取った情報をMISサーバ２０に接続されたCRTやクライアントＰＣ２３に接続されたCRTを通じて、オペレータに通知する。
【００７１】
図９は、図８のクライアントＰＣ２３とカラーＭＦＰ３７を説明するブロック図である。９０は印刷ジョブを生成するためのプログラムを含んだアプリケーションである。また、９１は印刷ジョブや他の印刷ジョブの管理を行うジョブ管理アプリである。
【００７２】
図１０はジョブ生成アプリ９０とジョブ管理アプリ９１を説明するブロック図である。
【００７３】
１００は、オペレータから入力された指示に従ってジョブデータを生成するデータ生成部であり、１０１は１００のデータ生成部で作成されたジョブデータをジョブ管理アプリ９１や他の印刷ジョブを処理できるモジュールへ転送するためのデータ送信部である。本実施例では、ジョブ生成アプリ９０からはジョブ管理アプリ９１へ印刷ジョブが送信されるとしたが、カラーＭＦＰ３７へ直接送信しても適わない。
【００７４】
１０２は、データ受信部である。１０３はジョブ管理アプリ全体の処理を制御する制御部であり、１０６は受信した印刷ジョブ（２）記録されているジョブチケットであるJDFを解析するジョブチケット解析部である。１０７は、ジョブ管理アプリ９１に記録されているジョブからコンテンツデータをエクスポートする処理を制御するコンテンツエクスポート制御部である。１０８はジョブからコンテンツをエクスポートする際に、コンテンツファイルの作成を実際に行うコンテンツ生成部である。ユーザからキーボードによって指定されたパスのフォルダ下にファイルを作成したり、コンテンツエクスポート制御部１０７の指示に従って、コンテンツの頁順を入れ替えたりする。10aはデータ受信部１０２で受信された結果に基づき、ジョブ記録部10bに記録されている情報を更新する、ジョブ管理情報更新部である。１０４は、ジョブ管理情報更新部１０aで管理されているジョブ情報を画面に表示する表示部である。１０５は、ジョブ管理アプリからジョブをＭＦＰ５６へ送信し、またMFP５６からジョブのステータス情報を受け取り、ジョブのステータス情報をジョブ記録部10bへ記録し、その更新されたステータス情報を表示部１０４を使用して画面に表示する印刷ジョブ送信・更新部である。
【００７５】
図１１はカラーMFP３７を詳細に説明するブロック図である。
【００７６】
ＭＦＰとは、自装置内部に複数のジョブのデータを記憶可能なハードディスク等のメモリを具備し、スキャナから出力されたジョブデータに対し該メモリを介してプリンタ部でプリント可能にするコピー機能や、コンピュータ等の外部装置から出力されたジョブデータに対し該メモリを介してプリント部でプリント可能にするプリント機能等の複数の機能を具備した画像形成装置である。
【００７７】
ＭＦＰには、フルカラー機器とモノクロ機器があり、３７はカラーMFPである。
【００７８】
又、本印刷システムの構成に関しては、上記の如く、複数の機能を具備したMFP(複合機能型の画像形成装置)を有するとしたが、プリント機能＋フィニッシング機能のみを具備した画像形成装置を具備する構成でも良いし、いずれか一方のタイプの画像形成装置のみを具備する構成でも良い。又、何れのタイプの画像形成装置であっても、複数台具備する構成でも良い。いずれにしても、本形態の制御が実現可能な構成であればよい。
【００７９】
図１１に示すように、紙原稿などの画像を読み取り、読み取られた画像データを画像処理する入力画像処理部１１１と、ファクシミリなどに代表される電話回線を利用した画像の送受信を行うＦＡＸ部１１２と、ネットワークを利用して画像データや装置情報をやりとりするＮＩＣ（Ｎｅｔｗｏｒｋ  Ｉｎｔｅｒｆａｃｅ  Ｃａｒｄ）部１１３と、外部装置と画像データなどの情報交換を行う専用インターフェース部１１４、あるいは、ＵＳＢ（Ｕｎｉｖｅｒｓａｌ  Ｓｅｒｉａｌ  Ｂｕｓ）メモリ（リムーバブルメディアの一種）に代表されるＵＳＢ機器と画像データなどを送受するＵＳＢインターフェース（ＵＳＢ  Ｉ／Ｆ）部１１５とを備えている。
【００８０】
そして、ＭＦＰ制御部１１０では、ＭＦＰの用途に応じて画像データを一時保存したり、経路を決定したりといった交通整理の役割を担っている。
【００８１】
次に、文書管理部１１ｂは、複数の画像データを格納可能なハードディスク等のメモリを具備し、例えば、画像形成装置が具備する制御部（例えばＭＦＰ制御部のＣＰＵなど）が主体となって、入力画像処理部からの画像データや、ＦＡＸ部を介して入力されたファクシミリジョブの画像データや、ＮＩＣ部を介して入力されたコンピュータ等の外部装置からの画像データや、専用Ｉ／Ｆ部やＵＳＢ  Ｉ／Ｆ部を介して入力された様々な画像データ等の複数種類の画像データを、該ハードディスクに複数格納可能に制御して、該ハードディスクに格納された画像データを適宜読み出して、プリンタ部１１９等の出力部に転送して、該プリンタ部によるプリント処理等の出力処理を実行可能に制御する。又、オペレータからの指示により、ハードディスクから読み出した画像データを、コンピュータや他の画像形成装置等の外部装置に転送可能に制御する。
【００８２】
画像データを文書管理部１１ｂに記憶する際には、必要に応じて、画像データを圧縮して格納したり、逆に圧縮して格納された画像データを読み出す際に元の画像データに伸張して戻したりするなどの処理に対して圧縮伸張部１１aを介して行っている。また、データがネットワークを経由する際には、ＪＰＥＧ、ＪＢＩＧ、ＺＩＰなど圧縮データを使用することも一般知られており、データがＭＦＰに入った後、この圧縮伸張部にて解凍（伸張）される。
【００８３】
また、リソース管理部１１cは、フォント、カラープロファイル、ガンマテーブルなど共通に扱われる各種パラメータテーブルなどが格納されており、必要に応じて呼び出すことができると共に、新しいパラメータテーブルを格納したり、修正して更新したりすることができる。
【００８４】
次に、ＭＦＰ制御部では、ＰＤＬデータが入力された場合には、ＲＩＰ部１１７でＲＩＰ（Ｒａｓｔｅｒ  Ｉｍａｇｅ  Ｐｒｏｃｅｓｓｏｒ）処理を施したり、プリントする画像に対して、必要に応じて出力画像処理部１１８でプリントのための画像処理を行ったりする。更に、その際に作られる画像データの中間データやプリントレディデータ（プリントのためのビットマップデータやそれを圧縮したデータ）を必要に応じて、文書管理部１１ｂで再度格納することもできる。
【００８５】
そして、画像形成を行うプリンタ部１１９に送られる。プリンタ部１１９でプリントアウトされた印刷原稿シートは後処理部であるインラインフィニッシャ１１ｄへ送り込まれ、シートの仕分け処理やシートの仕上げ処理が行われる。
【００８６】
ここで、ＭＦＰ制御部は円滑にジョブを流す役割を担っており、ＭＦＰの使い方に応じて、パス切り替えが行われている。以下に一例を示す。必要に応じて利用される圧縮伸張部と後処理部、あるいは、全体のコアとなるＭＦＰ制御部などの処理は省略して、おおよそのフローがわかるように記載する。
【００８７】
A)ＦＡＸ受信機能            ：ＦＡＸ部→出力画像処理部→プリンタ部
B)ネットワークプリント      ：ＮＩＣ部→ＲＩＰ部→出力画像処理部→プリンタ部
C)外部装置からのプリント    ：専用Ｉ／Ｆ部→出力画像処理部→プリンタ部
D)外部メモリからのプリント  ：ＵＳＢ  Ｉ／Ｆ部→ＲＩＰ部→出力画像処理部→プリンタ部
E)ボックスプリント機能      ：文書管理部→プリンタ部
また、ボックスプリントとは、文書管理部を利用したＭＦＰの処理機能であり、ジョブ毎やユーザ毎に文書管理部内のメモリを分割して一次的にデータを保存して、ユーザIDやパスワードを組み合わせてデータの入出力を行う機能である。
【００８８】
更に、操作部１１６は、上記の様々なフローや機能を選択したり操作指示したりするためのものであるが、操作部の表示装置の高解像度化に伴い、文書管理部にある画像データをプレビューし、確認後ＯＫならばプリントするといったこともできる。
【００８９】
図１２はMFP制御部１１０を詳細に説明するブロック図である。
【００９０】
同図は、大きく分けて５つの部分から成っている。すなわち、入力デバイスを管理する入力デバイス管理部、入力されたジョブを解釈する入力ジョブ制御部、ジョブの設定情報を整理する出力ジョブ制御部、そして、出力デバイスを割り当てる出力デバイス管理部、そしてジョブ管理アプリ９１からの指示をMFP制御部に伝達し印刷ジョブの制御を行うジョブ管理部である。
【００９１】
入力デバイス管理部は、入力デバイス制御部１２２が存在し、入力信号としては、ファイルサーバ２２からのＰＤＬデータや画像データ、ジョブ管理アプリ９１やジョブ管理部１２０からのJDFにPPML等がある。
【００９２】
次に、入力ジョブ制御部は、プロトコル解釈部１２３とジョブ生成部１２４から構成されている。入力デバイス制御部から送られてくる一連の操作要求は、コマンド（プロトコル）と呼ばれる命令信号で受信され、プロトコル解釈部１２３でその操作要求の概要が解釈されて、ＭＦＰ内部で理解できる操作手順に変換される。一方、ジョブ生成部はMFP内でどのように処理するかが記述された内部ジョブを生成する。生成されたジョブは、ＭＦＰ内部でどのような処理を施して、どこに送られるかといったそれぞれのシナリオが定義付けされて、そのシナリオに従ってＭＦＰ内部を流れることとなる。
【００９３】
出力ジョブ制御部では、ジョブ解析部１２５、バインダ解析部１２６、ドキュメント解析部１２７及び、ページ解析部１２８において、ジョブの設定情報と画像情報が作成される。ジョブ解析部１２５は、印刷する文書名や印刷部数、出力先の排紙トレイ指定、複数バインダで構成されるジョブのバインダ順などジョブ全体に関わるジョブ設定情報１２９の詳細が解析される。バインダ解析部１２６は、製本方式の設定やステープルの位置、複数ドキュメントで構成されるバインダのドキュメント順などバインダ全体に関わるバインダ設定情報１２aの詳細が解析される。ドキュメント解析部１２７は、複数ページで構成されるドキュメントのページ順、両面印刷の指定、表紙や合紙の付加などドキュメント全体に関わるドキュメント設定情報１２ｂの詳細が解析される。ページ解析部１２８は、画像の解像度、画像の向き（ランドスケープ／ポートレイト）等の各種設定ページ全体に関するページ設定情報１２ｃの詳細が解析されると共に、ＰＤＬデータが入力された場合にはＲＩＰ部１１７を呼び出してラスタライズ処理を施す。なお、画像情報を生成するに当たっては、ＲＩＰ部を呼び出して、ラスタライズ処理にてページ画像情報１２ｆが生成される。ページ画像情報１２ｆは、圧縮伸張部１１ａにおいて圧縮された後、文書管理部１1bに設定情報と関連付けされて格納される。
【００９４】
出力デバイス管理部は、出力デバイス制御部１２ｄで構成されている。文書管理部１１ｂに保存された画像情報は圧縮伸張部１1aにて伸張され、関連付けられていた設定情報と一緒に読み出され、設定情報と画像情報は一対になって出力デバイス部に送られてくる。出力デバイス制御部１２ｄは、プリンタ部、インラインフィニッシャなどどのデバイスを利用するかのMFP内部の処理をスケジューリングする。
【００９５】
通信部１２１は印刷ジョブ管理アプリ９１と印刷ステータスの送受信や印刷ジョブの処理指示を受け取り、ジョブ管理部１２０は、通信部１２１を介して印刷ジョブ管理アプリ９１から印刷ジョブであるPPMLやJDFを受信したり、印刷ジョブの開始や中断や中止や処理内容の変更の指示を受けたり、疎の指示内容に従って印刷ジョブの処理を変更する指示をMFP内部の各制御部へ送り、MFPで実行中の印刷ジョブのステータスをEFMへ送る。
【００９６】
図１３は、ジョブ生成部９０で生成され、ジョブ管理アプリ９１で処理される印刷ジョブに記録されているジョブチケット情報のデータ構造を示す図である。本実施例では、印刷ジョブは、ジョブチケット１３０とPDF等のコンテンツデータで構成されるものとする。
【００９７】
１３０はジョブチケット情報全体を示す。
【００９８】
１３１はジョブ全体を管理するジョブ情報エリアを示している。１３２はこのジョブを作成したユーザ名称が記録されている。Loginユーザ名称やユーザの入力名称などが使用される。１３３はジョブ名であり、このジョブの名称が記録されている。図21における"プレゼン資料“や”カタログ“や"マニュアル"などの名称が記録されている領域である。１３４はジョブIDが記録されており、ジョブを識別する為のユニークな番号が記録されている。１３２から１３４までの情報がジョブ情報１３１に含まれている。
【００９９】
１３５は印刷指示を記録する領域である。１３６は面付け情報でありジョブ全体に対して用紙に画像をどのように印刷するかの情報が記録されている。１３７は印刷面情報であり、用紙の各面に対する印刷方法が記録されている。片面印刷設定時ならば、各用紙に対して片面づつの指示が記録されており、両面印刷時ならば用紙の両面に対する印刷指示が記録されている。１３ｄは印刷面番号を示す。両面印刷時には、第一用紙の表面が印刷面番号＝１であり、裏面が印刷面番号＝２である。これによって、印刷面情報のどれを使用すればよいかが判断できる。１３８と13eはコンテンツ情報領域であり、印刷面に対してそのコンテンツをどの位置にどのように描画するかの指示が記録されている。本実施例では一つの印刷面情報内に複数のコンテンツ情報がある場合の図を記述したが、一つの場合もある。１３９はコンテンツ情報番号でありジョブ内でユニークな番号が記録されている。13aはレイアウト情報であり、コンテンツを描画する位置や変倍率やクリッピングの有無等が記録されている。13bはページ番号であり、参照するコンテンツの何ページ目のデータを使用するかが記録されている。13cはファイル名であり、参照するコンテンツのファイル名が記録されている。本実施例では、ジョブ内にコンテンツデータがジョブチケット情報と一緒に記録されているとするが、他のサーバ上に記録されている場合にはURLが記録されている。
【０１００】
１３ｆは１３７と同様に印刷面情報である。
【０１０１】
１３ｇは製本方法を記録する領域であり、パンチやステイプル等のフィニッシャを使用する処理に関する指示が記録されている。
【０１０２】
１３ｈは製本しない指示であり、１３iは中綴じ製本指示であり、１３ｊはくるみ製本指示である。１３ｈから１３ｊの指示は排他であり、どれか一つの指示がONに設定されると他の２つの設定はOFFに設定される。
【０１０３】
図１６は図１３の印刷面情報を説明する図である。本実施例では片面印刷で排紙された場合の用紙の例を示している。
【０１０４】
１６０は第一頁目の用紙であり、１６１は第二ページ目の用紙であり、１６２は第三ページ目の用紙を示している。それぞれの用紙の表面が印刷面と図１３の印刷面情報１３７は、図16の印刷面に対しての印刷方法を指示している。
【０１０５】
図1４は、エクスポートの実行の有無を判定する処理方法を説明するフローチャートである。
【０１０６】
まず、ステップS1にてジョブを選択する。そしてステップS2にて、メニューから“コンテンツファイルのエクスポート..."を選択支持する。この時の状態を示す図が、図２１である。本実施例では、ジョブの選択はマウスと連想して動作するマウスポインタで行い、メニューの選択はマウスのボタン操作によって表示されるポップアップメニューから選択するものとする。そしてステップS3にて、選択されたジョブからジョブチケット情報を読み出し、その内容を解析する。そしてステップS4へ進み、ステップS3で解析した結果に基づき、ジョブ内に記録されているコンテンツが頁正順であるかどうかを判断し、頁正順であればステップS5へ進み、頁正順でなければコンテンツのエクスポートを実行しないで処理を終了する。ステップS5では、ジョブに記録されているコンテンツを、操作者がキーボードより指示したパス下にコピーすることによって、コンテンツのエクスポートを実行する。
【０１０７】
コンテンツが頁正順かどうかを判断する方法に関しては、図１５と図１７にて説明する。
【０１０８】
図１５は図１４におけるコンテンツが頁正順かどうかを判断する一実施例を説明するフローチャートである。
【０１０９】
まずステップS２０にてジョブチケットに記録されている面付け情報を解析する。そしてステップS21にて第一印刷面の印刷に使用されているのがコンテンツの1ページ目かどうかを判断する。コンテンツの1ページ目である場合には頁正順であると判断し、コンテンツの1ページ目で無い場合には、頁正順でないと判断する。
【０１１０】
その判断の方法は、製本しない１３ｈがONの場合には、印刷面番号＝１である印刷面情報を探し、そのコンテンツ情報に記録されているページ番号が１であるかどうかによって行う。中綴じ製本13iがONの場合には、印刷面情報内に２つのコンテンツ情報が記録されており、このどちらかのコンテンツ情報にページ番号＝１が記録されているかどうかによって判断する。くるみ製本がONの場合の判断方法は、後述する。
【実施例２】
【０１１１】
図１７は図１４におけるコンテンツが頁正順かどうかを判断する第二の実施例を説明するフローチャートである。この方法は、予めフィニッシャの機能と、その機能を使用する場合に画像出力装置がどのような頁順でコンテンツを作成するかが分かっている場合の例である。本実施例では、中綴じ製本が指示されている場合には、コンテンツは頁正順でないものとして説明する。
【０１１２】
ステップS30にてジョブチケットに記録されている製本方法を解析する。ステップS31にて、指定された製本方法が、中綴じ製本かどうかを判断する。中綴じ製本の場合には頁正順でないと判断し、中綴じ製本以外の場合には、頁正順であると判断する。
【０１１３】
図１８はコンテンツが頁正順で構成されていない場合に、コンテンツを頁正順に並べ替えて生成する場合の一実施例を説明するフローチャートである。
【０１１４】
本実施例では、図１７の例を使用して、頁正順かどうかを判断する事として説明します。また中綴じ製本指定の場合には、コンテンツが頁逆順で作成されているものとして説明します。
【０１１５】
ステップS1からS4までは、図１４と同じである。但しステップS4でのコンテンツが頁正順かどうかの判定方法は、図17の例と同じ方法を使用するものとする。そしてステップS４にて頁正順でないと判断した場合には、ステップS40に進む。ステップS４０では、コンテンツを頁正順に並べ替える。本実施例では、コンテンツは頁逆順であるとするので、S40では頁の順番を逆に並べ替えれば良い。例えばコンテンツのデータ種がPDFである場合には、発売元から提供されているPDFを編集するツール等を使用して、頁の順番を並べ替える事ができる。そしてステップS5へ進み、頁正順に並べ替えたコンテンツをエクスポート処理する。
【実施例３】
【０１１６】
図１９と図２０では、製本方法がくるみ製品である場合に、コンテンツを頁正順に並べ替えてエクスポートする場合の一実施例を説明します。
【０１１７】
図１９はジョブチケットフォーマットに記録されている面付け情報と出力される用紙の対応関係を説明する図である。１９０と１９１は、くるみ製本の表紙を示す。１９０は本になった時の表紙の表面を示し、１９１は表紙の裏側に当たる面を示す。この表紙で本文をくるむように製本するのが、くるみ製本である。印刷面番号＝１の印刷面情報に記録されているコンテンツ情報１３８が表紙１９０を示し、コンテンツ情報13eが表紙１９１を示す。１９２から１９４は本文を構成する用紙を示す。この本文用紙が、表紙１９０と１９１に包まれて製本される。
【０１１８】
図２０は、本実施例(製本方法がくるみ製品である場合に、コンテンツを頁正順に並べ替えてエクスポート)におけるフローチャートを説明する図である。
【０１１９】
ステップS1からステップS3までは図１４と同じである。ステップS５０にてくるみ製本かどうかを判断する。その判定は製本方法13gに記録されている情報を使用して行う。くるみ製本である場合にはステップS51へ進み、そうでない場合には本実施例ではエクスポート処理を実施しないで終了するものとする。ステップS51では面付け情報１３６より表紙(先頭頁)と表紙裏面(2頁目)を構成するコンテンツを読み込む。表紙(先頭頁)と表紙裏面(2頁目)を構成するコンテンツの判定方法は以下のように行う。印刷面番号＝１の印刷面情報を読み込む。この中には、２つのコンテンツ情報が記録されている。一つは先頭頁の印刷用の情報であり、もう一つは最終頁の印刷用の情報である。よって、コンテンツのページ番号＝１である方を表紙(先頭頁)として選択する。また、印刷面番号＝２の印刷面情報」を読み込む。この中にも同様に２つのコンテンツ情報が記録されている。２つの中で頁番号の小さい方が表紙裏面(2頁目)を構成するコンテンツである。そしてステップS52へ進み本文を構成するコンテンツを読み込む。印刷面番号＝３以降の印刷面情報に本文は記述されているので、その中のコンテンツ情報より本文を構成するコンテンツを読み込み、ステップS５１でメモリ上に読み込んだ表紙(先頭頁)と表紙裏面(2頁目)を構成するコンテンツに追加する。そしてステップS５３へ進み、表紙(最終頁)と表紙裏面(最終頁-1)を構成するコンテンツを読み込む。ステップS５１で読み込んだ２つの印刷面情報に記録されており、ステップS51で読み込みに使用しなかったコンテンツ情報に記録されているコンテンツを読み込む。そしてステップS５２と同様にメモリ上のコンテンツに追加する。そしてステップS５へ進み、メモリ上に展開されているコンテンツをファイルとして作成し、コンテンツのエクスポート処理を終了する。
【図面の簡単な説明】
【０１２０】
【図１】従来の印刷システム構成図である。
【図２】従来の工程管理部の構成図である。
【図３】従来のデジタルプリント部の構成図である。
【図４】従来のポストプレス部の構成図である。
【図５】従来のジョブチケットによるワークフローを説明する図である。
【図６】従来のJDFの構成を説明する図である。
【図７】従来のJDFの構成を説明する第2の図である。
【図８】第一の実施例に置ける印刷システム構成図である。
【図９】第一の実施例に置けるクライアントPCとプリントサーバのブロック図である。
【図１０】第一の実施例に置けるジョブ生成アプリとジョブ管理アプリの詳細ブロック図である。
【図１１】第一の実施例に置けるカラーMFPのブロック図である。
【図１２】第一の実施例に置けるMFP制御部のブロック図である。
【図１３】第一の実施例に置けるジョブチケットの構成を説明する図である。
【図１４】第一の実施例に置けるコンテンツのエクスポート実行の判断処理を説明するフローチャートである。
【図１５】第一の実施例に置けるコンテンツの頁の並び順判定を説明するフローチャートである。
【図１６】第一の実施例における出力用紙を説明する図である。
【図１７】第二の実施例に置ける第二のコンテンツの頁の並び順判定を説明するフローチャートである。
【図１８】第二の実施例に置けるコンテンツの頁の並び順を正順にしてエクスポートする処理を説明するフローチャートである。
【図１９】第三の実施例のジョブチケットと出力用紙の関係を説明する図である。
【図２０】第三の実施例に置けるコンテンツの頁の並び順を正順にしてエクスポートする処理を説明するフローチャートである。
【図２１】第一の実施例に置けるコンテンツのエクスポートの指示画面を説明する図である。
【図１】
2010049345.tif 000003
【図２】
2010049345.tif 000004
【図３】
2010049345.tif 000005
【図４】
2010049345.tif 000006
【図５】
2010049345.tif 000007
【図６】
2010049345.tif 000008
【図７】
2010049345.tif 000009
【図８】
2010049345.tif 000010
【図９】
2010049345.tif 000011
【図１０】
2010049345.tif 000012
【図１１】
2010049345.tif 000013
【図１２】
2010049345.tif 000014
【図１３】
2010049345.tif 000015
【図１４】
2010049345.tif 000016
【図１５】
2010049345.tif 000017
【図１６】
2010049345.tif 000018
【図１７】
2010049345.tif 000019
【図１８】
2010049345.tif 000020
【図１９】
2010049345.tif 000021
【図２０】
2010049345.tif 000022
【図２１】
2010049345.tif 000023